(57)【要約】【課題】部品点数を削減して構造の簡略化を図り、組み立て作業が容易にでき、しかも記録再生装置側の構造を簡略化できる磁気テープカートリッジを提供する。【解決手段】リール１３のフランジ部外周縁に形成された制止用ギヤ１７ａと、カートリッジケース１１の底面に形成されリール１３の制止用ギヤ１７ａと係合する固定側ギヤ３１ａと、リール１３をカートリッジケース１１の底部側へ付勢して制止用ギヤ１７ａと固定側ギヤ３１ａとを係合させリール１３の回転を規制する付勢部材２９とを備え、リールハブ１３の係合部３５を付勢部材２９の付勢力に抗して回転駆動源に接続することで、制止用ギヤ１７ａと固定側ギヤ３１ａとが離間してリール１３の回転規制が解除される。【選択図】　　　図２
2004103154.tif 000002
【特許請求の範囲】
【請求項１】
磁気テープを巻装するリールハブの底部に回転駆動用の係合部が設けられると共に、該リールハブの少なくとも下側に径方向へ張り出したフランジ部を有するリールと、
前記リールハブの係合部を露呈させる開口部を底部に形成して前記リールを内部で回転自在に収納するカートリッジケースとを備えた磁気テープカートリッジであって、
前記リールのフランジ部外周縁に形成された制止用ギヤと、
前記カートリッジケースの底面に形成され前記リールの制止用ギヤと係合する固定側ギヤと、
前記リールを前記カートリッジケースの底部側へ付勢して前記制止用ギヤと前記固定側ギヤとを係合させ、前記リールの回転を規制する付勢部材とを備え、
前記リールハブの係合部を前記付勢部材の付勢力に抗して回転駆動源に接続することで、前記制止用ギヤと前記固定側ギヤとが離間して前記リールの回転規制が解除されることを特徴とする磁気テープカートリッジ。
【発明の詳細な説明】
【０００１】
【発明の属する技術分野】
本発明は、磁気テープカートリッジに関し、特にカートリッジケース内に収納された磁気テープの巻装されたリールを、不使用時において回転規制する構造に関する。
【０００２】
【従来の技術】
従来より、ビデオ用テープやコンピュータ等の外部記録再生装置に用いられる磁気テープカートリッジには、そのケース内にテープを巻装するリールを有しており、このリールには、磁気テープの弛みによるミスローディングや損傷を防止するために回転を規制するリールブレーキ手段を有している。
このリールブレーキ手段としては、例えば、係合アーム及び解除アームを有するリールブレーキをリールの側方に回動可能に支持し、トーションバネの付勢力によって係合アームをリールの制止用ギヤに係合させてリールの回転を規制するものがある。そして、テープカートリッジを記録再生装置に装填することにより、装置側のピン等の回転規制解除手段が、ケースの開口から進入して解除アームを押圧し、リールブレーキをトーションバネの付勢力に抗して回動させて係合アームによるリールの係合を解除する（例えば、特許文献１参照）。
また、リールの上方に、リールの回転軸と同軸にブレーキ部材を設け、装置への装填時に、ブレーキ部材を上方へ持ち上げてリールから離し、ブレーキ部材とリールとの係合を解除させるものもある（例えば、特許文献２、３参照）。
【０００３】
【特許文献１】
特開平１１−１２０７３２号公報（第４頁、図１）
【特許文献２】
特開平１１−１８５４３７号公報（第３頁、図４）
【特許文献３】
特開平１１−２８８５７１号公報（第３頁、図１）
【０００４】
【発明が解決しようとする課題】
しかしながら、上述した各構成においては、磁気テープカートリッジにリールブレーキやブレーキ部材等の多数の部品が必要であり、構造の複雑化、組み立て作業の繁雑化を招いてしまい、しかも、記録再生装置側には、リールブレーキによるリールの回転規制を解除させるピン等の回転規制解除手段を設けなければならず、装置の複雑化も招いてしまう。
【０００５】
本発明は、上記事情に鑑みてなされたもので、部品点数を削減して構造の簡略化を図り、組み立て作業が容易にでき、しかも記録再生装置側の構造を簡略化できる磁気テープカートリッジを提供することを目的とする。
【０００６】
【課題を解決するための手段】
上記目的達成のために、本発明に係る請求項１記載の磁気テープカートリッジは、磁気テープを巻装するリールハブの底部に回転駆動用の係合部が設けられると共に、該リールハブの少なくとも下側に径方向へ張り出したフランジ部を有するリールと、前記リールハブの係合部を露呈させる開口部を底部に形成して前記リールを内部で回転自在に収納するカートリッジケースとを備えた磁気テープカートリッジであって、前記リールのフランジ部外周縁に形成された制止用ギヤと、前記カートリッジケースの底面に形成され前記リールの制止用ギヤと係合する固定側ギヤと、前記リールを前記カートリッジケースの底部側へ付勢して前記制止用ギヤと前記固定側ギヤとを係合させ、前記リールの回転を規制する付勢部材とを備え、前記リールハブの係合部を前記付勢部材の付勢力に抗して回転駆動源に接続することで、前記制止用ギヤと前記固定側ギヤとが離間して前記リールの回転規制が解除されることを特徴とする。
【０００７】
この磁気テープカートリッジでは、付勢部材によってリールを付勢してリール側の制止用ギヤとカートリッジケース側の固定側ギヤとを係合させてリールの回転を規制する構造とし、記録再生装置への装填時には、リールを回転させる回転駆動源をリールに係合させ、付勢部材の付勢力に抗してカートリッジケースの底面から押し込むことにより制止用ギヤと固定側ギヤとの係合を解除してリールの回転規制を解除するので、リールブレーキやブレーキ部材等の部品を用いることがなくなり、簡単な構造で回転規制と回転規制解除が行え、また、組み立て作業を容易にできる。しかも、記録再生装置側にピン等の特別な回転規制解除手段を設ける必要がなく、記録再生装置側の簡略化も図ることができる。
【０００８】
また、前記リールの制止用ギヤと前記カートリッジの固定側ギヤは、付勢部材による付勢方向に向かってリールの回転中心へ傾斜するテーパ状に形成することが好ましい。このようにすると、リールが付勢部材によって付勢されてギヤ部同士が係合する際に、自動的にリールのセンタリングを行うセルフアライメント効果を得ることができる。また、リール側のわずかな移動でギヤ同士の係合を解除できる。
なお、カートリッジケースの固定側ギヤは、リールの制止用ギヤの一部に係合するように部分的に設けて、構成の簡略化を図ってもよい。
【０００９】
【発明の実施の形態】
以下、本発明に係る磁気テープカートリッジの好適な実施の形態について、図面を参照して詳細に説明する。
なお、本実施形態では、磁気テープカートリッジとして、コンピュータに用いられる外部記録装置等の記録再生装置に装填される磁気テープテープカートリッジを一例に説明する。
図１は磁気テープカートリッジの概略的な構造を示す分解斜視図、図２は磁気テープカートリッジの組み立て時の構造を示す断面図である。
図１及び図２に示すように、磁気テープカートリッジ１００は、下ケース１１ａと上ケース１１ｂとからなるカートリッジケース１１の内部で回転自在に収納されたリール１３を有している。
【００１０】
リール１３は、中心にリールハブ１５を有し、半径方向に張り出した下フランジ１７と、リールハブ１５の上端部に接合された上フランジ１９とを有しており、下フランジ１７と上フランジ１５との間でリールハブ１５にテープ２１を巻装している。
リールハブ１５は、その中心に凹部２３を有しており、この凹部２３には、ベアリング２５が圧入固定される。
【００１１】
このベアリング２５には、その中心にスプリングプラグ２７を圧入固定しており、スプリングプラグ２７に対してリール１３がベアリング２５によって回転自在とされている。スプリングプラグ２７と上ケース１１ｂとの間には、リールバネ２９を設けており、リールバネ２９は、スプリングプラグ２７及びベアリング２５を介してリール１３を下ケース１１ａ側へ常に付勢している。
【００１２】
また、リール１３の下フランジ１７には、その外周に制止用ギヤ１７ａが形成されている。一方、カートリッジケース１１を構成する下ケース１１ａの底面には、下フランジ１７を収容する収容凹部３１を有しており、収容凹部３１の内周面には、下フランジ１７の制止用ギヤ１７ａが係合する固定側ギヤ３１ａが形成されている。
そして、リールバネ１３によってリール１３が下ケース１１ａ側へ付勢されて、下ケース１１ａの収容凹部３１にリール１３の下フランジ１７が収容されると、下フランジ１７の制止用ギヤ１７ａと収容凹部３１の固定側ギヤ３１ａとが互いに係合し、リール１３の回転が規制される。
【００１３】
そして、図３に示すように、収容凹部３１の外周縁の段部内周面は、リール１３側へ向かって次第に広がるテーパ形状に形成されている。また、リール１３の下フランジ１７の外周部における下端は、下ケース１１ａに向かって次第に窄まるテーパ形状とされている。つまり、互いに係合する制止用ギヤ１７ａ及び固定側ギヤ３１ａは、収容凹部３１への下フランジ１７の収容方向に向かって中心へ傾斜するテーパ形状とされている。
【００１４】
カートリッジケース１１の下ケース１１ａは、その中心に開口部３３を有している。リール１３を構成する下フランジ１７には、その下面における開口部３３を臨む位置に、環状の係合ギヤ部３５が形成されている。そして、開口部３３に露呈している下フランジ１７の係合ギヤ部３５は、磁気テープカートリッジ１００の記録再生装置への装填時に、記録再生装置側の駆動機構を構成する回転軸３７の上端に形成された係合ギヤ部３９に係合される。なお、磁気テープ２１の端部２１ａがケース外部に取り出される位置にはシャッタ４１による開閉シャッタ窓４３が形成されている。
【００１５】
次に、上記構成の磁気テープカートリッジ１００の作用を説明する。
磁気テープカートリッジ１００を記録再生装置に装填する前、つまり、磁気テープカートリッジの不使用時は、リールバネ１３によってリール１３が下フランジ１７側へ付勢され、下フランジ１７が下ケース１１ａの収容凹部３１内に収容されて、下フランジ１７の制止用ギヤ１７ａと収容凹部３１の固定側ギヤ３１ａとが互いに係合し、リール１３の回転が規制される。これにより、磁気テープカートリッジ１００の不使用時における磁気テープ２１の弛みが防止される。
【００１６】
上記構成の磁気テープカートリッジ１００を使用すべく、記録再生装置に装填して該装置を駆動した場合には、次のように動作する。即ち、記録再生装置側からの回転駆動源である回転軸３７が磁気テープカートリッジ１００の下方から、下ケース１１ａの開口部３３に入り込み、回転軸３７上端の係合ギヤ部３９がリール１３の下フランジ１７の係合ギヤ部３５に係合し、リール１３をリールバネ２９の付勢力に抗して上方へ押し上げる。
【００１７】
これにより、図４に示すように、リール１３の下フランジ１７が下ケース１１ａの収容凹部３１から押し上げられ、下フランジ１７の制止用ギヤ１７ａと収容凹部３１の固定側ギヤ３１ａとの係合による回転の規制が解除される。この状態では、リール１３がフリーとなり、記録再生装置によって磁気テープ２１を引き出して、データの記録やデータの再生を行う。そして、所望の動作を終了させた後、磁気テープ２１をリール１３に巻回するため、回転軸３７をリール１３の引き出し方向とは逆方向に回転駆動すると、リール１３が回転軸３７に従動して回転し、記録再生装置内に引き出された磁気テープ２１が再度リール１３に巻き戻される。
【００１８】
このように、リールバネ２９によってリール１３を付勢してリール１３の制止用ギヤ１７ａと下ケース１１ａの固定側ギヤ３１ａとを係合させてリール１３の回転を規制する構造とし、記録再生装置への装填時には、リール１３を回転させる装置側の回転軸３７をリール１３に係合させて、リールバネ２９の付勢力に抗して下ケース１１の底面から離間することにより、制止用ギヤ１７ａ、固定側ギヤ３１ａの係合を解除して、リール１３を回転自在とする構造であるので、リールブレーキやブレーキ部材等の部品を用いて複雑な回転規制手段を構成することがなくなり、構造の簡略化、組み立て作業の容易化を図ることができる。しかも、記録再生装置側にピン等の特別な回転規制解除手段を設ける必要がなく、記録再生装置側の簡略化も図ることができる。
【００１９】
また、互いに係合する制止用ギヤ１７ａ及び固定側ギヤ３１ａの外周部の一部は、収容凹部３１への下フランジ１７の収容方向に向かって次第にリールの回転中心に傾斜するテーパ形状とされている。これにより、図５に示すように、リールバネ２９の付勢力によってリール１３の下フランジ１７が下ケース１１ａの収容凹部３１内へ押し込まれる際に、仮にリール１３が回転中心からずれた位置にあっても、前記テーパ形状による下フランジ１７のセンタリングが行われ、セルフアライメント効果が奏される。従って、次回に記録再生装置へ磁気テープカートリッジ１００を装填する際に、確実に回転駆動源の回転軸３７上端の係合ギヤ部３９と下フランジ１７の係合ギヤ部３５とが係合し合い、軸心を一致させて円滑な駆動を行わせることができる。
【００２０】
なお、収容凹部３１の内周面に形成する固定側ギヤ３１ａは、全周にわたって形成する以外にも、例えば、図６に示す固定側ギヤ３２のように、リール１３の回転を規制することができる程度に、周方向に対して部分的に形成したものであってもよい。このような固定側ギヤ３２によれば、下ケース１１の成形がより簡単になり、製造コストを削減できる。
【００２１】
なお、以上説明した実施形態では、コンピュータの外部記録装置に用いられる磁気テープテープカートリッジを例にとって説明したが、本発明の磁気テープカートリッジとしては、コンピュータの外部記憶装置に用いられるものに限らず、例えば、ビデオ用テープのテープカートリッジ等にも適用することができる。
【００２２】
【発明の効果】
本発明に係る磁気テープカートリッジによれば、付勢部材によってリールをカートリッジケースの底面側へ付勢してリール側の制止用ギヤとカートリッジケース側の固定側ギヤとを係合させてリールの回転を規制する構造とし、記録再生装置への装填時には、リールを回転させる回転駆動源をリールに係合させ、付勢部材の付勢力に抗してカートリッジケースの底面から押し込むことにより、制止用ギヤと固定側ギヤとの係合を解除してリールの回転規制を解除するので、簡単な構造でリールの回転規制と回転規制解除が行え、組み立て作業を容易にできる。しかも、記録再生装置側にピン等の特別な回転規制解除手段を設ける必要がなく、装置側の簡略化も図ることができる。
【図面の簡単な説明】
【図１】本発明の磁気テープカートリッジの概略的な構造を示す分解斜視図である。
【図２】磁気テープカートリッジの組み立て時の構造を示す断面図である。
【図３】下フランジの制止用ギヤと下ケースの固定側ギヤが係合する様子を示す説明図である。
【図４】下ケースの固定側ギヤから下フランジの制止用ギヤが離間する様子を示す説明図である。
【図５】下フランジの制止用ギヤと下ケースの固定側ギヤとのセルフアライメント効果を説明する説明図である。
【図６】下ケースの固定側ギヤの他の例を説明する下ケースの平面図である。
【符号の説明】
１１　カートリッジケース
１３　リール
１７ａ　制止用ギヤ
２１　磁気テープ
２９　リールバネ（付勢部材）
３１　収容凹部
３１ａ，３２　固定側ギヤ
３３　開口部
３７　回転軸
１００　磁気テープカートリッジ
【図１】
2004103154.tif 000003
【図２】
2004103154.tif 000004
【図３】
2004103154.tif 000005
【図４】
2004103154.tif 000006
【図５】
2004103154.tif 000007
【図６】
2004103154.tif 000008